【事件の表示】
　特願２００５−５１４３７９「位置決めシステム」拒絶査定不服審判事件〔平成１７年　４月１４日国際公開、ＷＯ２００５／０３２７６０〕について、次のとおり審決する。
【結　論】
　本件審判の請求は、成り立たない。
【理　由】
１．手続の経緯 
　本件出願は、平成１６年９月９日（優先権主張、平成１５年１０月１日、日本国）を国際出願日とする出願であって、同１８年３月１６日付けで拒絶の理由が通知され、同年５月１８日に手続補正がなされ、同年７月３１日付けで拒絶をすべき旨の査定がされ、同年９月６日に本件審判の請求がなされ、当審において同２０年１月３０日付けで拒絶理由が通知され、同年４月３日に手続補正がなされたものである。 
 　 
２．本願発明
　本願の請求項１ないし６に係る発明は、平成２０年４月３日に補正された特許請求の範囲の請求項１ないし６に記載された事項により特定されるとおりのものと認められる。
　請求項１に係る発明（以下「本願発明」という。）は、以下のとおりである。
　
「複数のストレート位置決め孔(５・５)を有する第２ブロック(２)を第１ブロック(１)に位置決めする複数の位置決め装置(１０１・１０２)を備えたシステムであって、
　上記の複数の位置決め装置(１０１・１０２)は、それぞれ、上記の第２ブロック(２)に形成された上記ストレート位置決め孔(５)に差込可能となるように上記の第１ブロック(１)に設けたハウジング(９)から先端方向へ一体に突出されたプラグ部材(１２)と、そのプラグ部材(１２)の外周に設けられるとともに上記の先端方向へ向かうにつれて軸心へ近づく形状の傾斜外面(１３)と、その傾斜外面(１３)の外側に配置されるとともに周方向の少なくとも一部分が拡径方向及び縮径方向へ変形可能な環状のスリーブ部材(１５)と、そのスリーブ部材(１５)の外周に設けられるとともに上記ストレート位置決め孔(５)の内周面に密着可能なストレート外面(１６)と、同上スリーブ部材(１５)の内周に設けられるとともに上記の傾斜外面(１３)に対面する傾斜内面(１７)と、上記プラグ部材(１２)内に軸心方向へ移動可能に挿入されるとともに上記スリーブ部材(１５)に常に連結された状態に保持された駆動部材(２１)とを有し、
　上記の複数の位置決め装置(１０１・１０２)のうちの少なくとも一つの位置決め装置(１０２)では、前記の第１ブロック(１)に設けた前記スリーブ部材(１５)の内周と前記プラグ部材(１２)の外周との間で、前記の傾斜内面(１７)と前記の傾斜外面(１３)との少なくとも一方を、前記の拡縮方向で互いに向かい合う一対の突出部(６１・６１)に設けると共に、これら突出部(６１・６１)の間に周方向へ延びる逃し部(６２・６２)を形成し、
　上記の第１ブロック(１)の上記スリーブ部材(１５)の内方に設けた上記の突出部(６１・６１)が同上スリーブ部材(１５)を介して前記ストレート位置決め孔(５)に作用させる拡径力によって、前記の第２ブロック(２)が他の位置決め装置(１０１)の軸心(Ａ)の回りに旋回するのを阻止するとともに、上記の一対の逃し部(６２・６２)によって上記の軸心(Ａ)に対する径方向の誤差を吸収する、
　ことを特徴とする位置決めシステム。」
　
３．刊行物記載の発明
（１）特開平１１−１８８５５１号公報
　これに対し、本願優先権主張日前に頒布された刊行物であって、当審で通知した拒絶理由に引用された特開平１１−１８８５５１号公報（以下「刊行物１」という。）には、次のように記載されている。 
ア．段落０００１
「【０００１】
【発明の属する技術分野】この発明は、ワークピースや金型などの被固定物をワークパレットやテーブルなどの支持台に引っ張って固定する形式のクランプ装置に関する。」
　
イ．段落０００５〜０００８
「【０００５】ハウジング１１に設けた駆動手段１５と、その駆動手段１５によって軸心方向へ往復移動されるプルロッド１２と、その軸心方向の基端へ向けてすぼまるように上記プルロッド１２に設けたテーパ外周面１２ａと、そのテーパ外周面１２ａの外周空間に配置されて被固定物１の係合孔２へ挿入される係合具１４と、その係合具１４が基端へ変位するのを所定の支持力によって阻止すると共にその支持力よりも大きな力によって上記の係合具１４が同上の基端へ変位するのを許容するサポート手段２９とを備え、上記プルロッド１２を基端へ駆動することによって、上記テーパ外周面１２ａが上記の係合具１４を半径方向の外方の係合位置Ｘへ切換えて前記の係合孔２に係合させると共に同上の係合具１４を前記サポート手段２９に抗して基端へ変位させ、これにより、上記プルロッド１２の駆動力を上記の被固定物１へ伝達可能に構成し、上記プルロッド１２を先端へ駆動することによって同上の係合具１４が半径方向の内方の係合解除位置Ｙへ切換わるのを許容する、ことを特徴とするものである。
【０００６】なお、上記サポート手段２９は、図１中の押圧バネ２７の付勢力、図９中の押上げピストン６０に作用する油圧力、図１３中の環状部材１３の下半部分７０の弾性力などを利用することが考えられる。前記の係合孔２に対する係合具１４の係合は、その係合具１４を上記の係合孔２に塑性変形または弾性変形によって食い込ませて係合させたり、又は、上記の係合具１４を上記の係合孔２に摩擦接当させて係合させることが考えられる。また、前記のテーパ外周面１２ａは、機械加工するうえでは横断面視で円形に形成することが好ましいが、横断面視で四角形等の多角形であっても差し支えない。さらに、前記の被固定物１の係合孔２も、機械加工するうえでは円形が好ましいが、四角形等の多角形であっても差し支えない。その係合孔２を多角形に構成した場合には、前記の係合具１４は、その多角形の係合孔２の各辺に対面するように複数配置すればよい。
【０００７】本発明は、例えば、同上の図１と図２に示すように、次のように作用する。図１のアンクランプ状態では、駆動手段１５（ここではピストン１７)によってプルロッド１２が上向きに上昇されると共に、サポート手段２９(ここでは押圧バネ２７の付勢力)によって係合具１４が下側から支持されている。
【０００８】クランプ時には、上記の係合具１４を被固定物１の係合孔２に嵌合させて、その状態で、上記の駆動手段１５によって上記プルロッド１２を下降させる。すると、図２に示すように、上記プルロッド１２のテーパ外周面１２ａが上記の係合具１４を半径方向の外方の係合位置Ｘへ突出させて同上の係合具１４を係合孔２に係合させると共に、上記プルロッド１２の下降駆動力によって上記の係合具１４が上記サポート手段２９の支持力に抗してストロークＭだけ下降する。これにより、そのプルロッド１２の下降駆動力が上記の係合具１４を経て被固定物２へ伝達され、その被固定物２がハウジング１１へ引っ張られる。上記の図２のクランプ状態から図１のアンクランプ状態への切換えは、上記とはほぼ逆の手順で行われる。」
　
ウ．段落００１０
「【００１０】上記の被固定物は、係合孔を形成するだけでよく、クランピング用のアタッチメントを突出させる必要がない。・・・。なお、上記の係合孔は、円形に構成した場合には、ドリル又はリーマ等によって容易に形成できる。このため、被固定物に係合孔を能率良く加工できる。」
　
エ．段落００１２
「【００１２】・・・。図３(Ｂ)において、符号４は、上記ワークピース１を支持するためのワークパレットである。そのワークパレット４には複数のクランプ装置５及びガイドピン６を固定しており(ここでは二つずつだけ示してある)、上記クランプ装置５のハウジング１１の上面によって、上記ワークピース１を受け止める支持面Ｓを構成してある。」
　
オ．段落００１７〜００１８
「【００１７】・・・。上記ブロック２２に前記プルロッド１２を上下移動可能に挿入して、そのプルロッド１２の上部に、円形で下すぼまりのテーパ外周面１２ａを形成すると共に、そのプルロッド１２の入力部１２ｂを前記ピストンロッド２０の出力部２０ａに半径方向へ移動可能かつ軸心方向へ移動不能に連結してある。
【００１８】上記プルロッド１２に前述の環状コレット(環状部材)１３が上下移動可能に外嵌される。そのコレット１３の周壁に、上下方向へ延びる一つのスリット２５を形成して、その周壁の上半部分によって係合具１４を構成してある。そして、上記の係合具１４のテーパ内周面１４ａを上記プルロッド１２の前記テーパ外周面１２ａに外嵌してある。なお、上記の係合具１４の外周面には、断面視で鋸刃状の複数の周溝を形成してある。」
　
カ．段落００２２
「【００２２】上記のワークピース１の下降時において、上記の係合孔２の軸心とプルロッド１２の軸心とが心ズレしている場合には、前記の二つの環状隙間３１・３２の存在によって上記プルロッド１２およびコレット１３が水平方向へ移動して上記の心ズレが自動的に修正される。・・・。」
　
　上記ウ．の「係合孔は、円形に構成した場合には、ドリル又はリーマ等によって容易に形成できる」なる記載、及び図１から、係合孔はストレートであると認める。
　
　上記記載を、請求人の意見書（４−４−２）における主張も踏まえ、本願発明に照らして整理すると、上記刊行物１には、次の発明（以下「刊行物１発明」という。）が記載されているものと認められる。
　 
「複数のストレート係合孔２を有する被固定物１をワークパレット４に位置決めする複数のクランプ装置５を備えたシステムであって、
　上記の複数のクランプ装置５は、それぞれ、上記の被固定物１に形成された上記ストレート係合孔２に差込可能となるように、上記のワークパレット４に設けたハウジング１１から先端方向へ突出され、ハウジング１１に対し上下移動可能に挿入されたプルロッド１２と、そのプルロッド１２の外周に設けられるとともに上記の先端方向へ向かうにつれて軸心へ遠ざかる形状のテーパ外周面１２ａと、そのテーパ外周面１２ａの外側に配置されるとともに周方向の少なくとも一部分が拡径方向及び縮径方向へ変形可能な環状の係合具１４と、その係合具１４の外周に設けられるとともに上記ストレート係合孔２の内周面に密着可能な鋸刃状外周面と、同上係合具１４の内周に設けられるとともに上記のテーパ外周面１２ａに対面するテーパ内周面１４ａと、上記プルロッド１２の入力部１２ｂにその出力部２０ａを半径方向移動可能かつ軸心方向移動不能に連結したピストンロッド２０とを有し、
　ピストンロッド２０により、プルロッド１２を先端方向逆方向へ移動させることにより、係合具１４を拡径させ、さらに先端方向逆方向へ移動させるようにしたクランプシステム。」
　
　なお、請求人は意見書（４−４−４）で、「ワークパレット等を固定する際に、刊行物１では、直径方向に拡大するコレット１３はワークパレット等に形成された孔に対して軸心方向へ相対移動しない」と主張するが、段落０００８に、「プルロッド１２の下降駆動力によって上記の係合具１４が上記サポート手段２９の支持力に抗してストロークＭだけ下降する。これにより、そのプルロッド１２の下降駆動力が上記の係合具１４を経て被固定物２へ伝達され、その被固定物２がハウジング１１へ引っ張られる。」と記載されていることから、請求人の主張は根拠がない。
　
（２）特開２００１−３００８０４号公報
　同じく、特開２００１−３００８０４号公報（以下「刊行物２」という。）には、次のように記載されている。 
　
ア．第１欄第４２〜４７行
「【発明の属する技術分野】本発明は、拡張マンドレルに関し、より詳しくはワークピースに備えられた軸孔壁面に対してマンドレルの拡張可能部分を押圧することにより、機械加工（ミーリング加工、旋削加工、研削加工）されるワークピースを把持するように設計された拡張マンドレルに関するものである。」
　
イ．第４欄第２３行〜第５欄第８行
「シャフト１に沿って前方に見ていくと、まず、機械スピンドル上で支持されるように設計されたカラー部４、次に、ねじ山円筒部５が配置されており、このねじ山円筒部５は内側にねじ溝が形成された中空シリンダ６によりねじ留め可能であり、この中空シリンダ６は把持されるワークピース（図示せず）が装着される際に軸止めとして機能する。・・・。最後に、シャフト１は前向き円錐台形状部７で終わっている。シャフトには、軸線に沿って、２つの部分を備える貫通孔が形成されており、前部の直径は後部の直径より小さい。ピストン８は前部を滑動し、またけん引部材９は後部を滑動し、別個のスレッド１０及び１１を使用して、ピストン８をけん引部材９に螺合することができる。ピストン８は、その両端部において、前部はスクリュードライバを受け取ることができる前凹部１３を有するねじヘッドとしての後向き円錐台形状部１２であり、後部は円筒形部２３となっている。ピストン８の円筒形部２３及び後向き円錐台形状部１２は、カラー部１４により分けられている。ピストン８は、機械加工されるワークピースをスリーブ１５により把持するかまたは解放するかのいずれが所望されるかにより、シャフト１の前向き円錐台形状部７に沿って、前方または後方にそれぞれ滑動可能である。前記スリーブ１５の外形は、長手方向にいくつかのスリットが切り込まれた環状である。スリーブ１５の内壁については、逆向きで連続する２つの後方円錐台形状部１７及び前方円錐台形状部１８が溝１６により隔てられた形状となっている。ピストン８の位置に拘わらず、スリーブ１５の前方円錐台形状部１８は、ねじヘッドとしての後向き円錐台形状部１２とぴったり嵌合し、またスリーブの後方円錐台形状部１７は、シャフト１の前向き円錐台形状部７とぴったり嵌合しているので、スリーブ１５の外側表面を完全な円筒形状に保ちながら直径を変化させて、均一かつ完全にワークピースを把持することができる。」
　
　上記記載を、図１、図２を参照しつつ、技術常識を踏まえ整理すると、上記刊行物２には、次の事項（以下「刊行物２事項」という。）が記載されているものと認められる。 
「前向き円錐台形状部７を有するシャフト１と、
　長手方向にいくつかのスリットが切り込まれ、内壁に逆向きで連続する２つの後方円錐台形状部１７及び前方円錐台形状部１８が形成され、後方円錐台形状部１７がシャフト１の前向き円錐台形状部７とぴったり嵌合するとともに、そのテーパは先端方向へ向かうにつれて軸心へ近づくものとされた環状スリーブ１５と、
　スリーブ１５の前方円錐台形状部１８とぴったり嵌合する後向き円錐台形状部１２を有するピストン８が螺合され、前方または後方に滑動可能なけん引部材９とを有し、
　けん引部材９を後方へ滑動させることにより、スリーブ１５が拡径し、ワークピースを把持する拡張マンドレル。」
　
（３）特許第３３３８６６９号公報
　同じく、特許第３３３８６６９号公報（以下「刊行物３」という。）には、次のように記載されている。 
　
ア．段落０００１
「【０００１】
【発明の属する技術分野】この発明は、データム機能付きクランプ装置に関し、より詳しくいえば、マシニングセンタのテーブル等の基準部材にワークパレット等の可動部材を精密に心合わせした状態で固定する装置に関する。」
　
イ．段落００１０〜００１３
「【００１０】
【発明の実施の形態】図１から図４は、本発明の第１実施形態を示している。まず、図１Ａから図１Ｄと図２とによって、本発明のデータム機能付きクランプ装置を利用したクランプシステムを説明する。・・・。
【００１１】マシニングセンタのテーブル１の上面に、基準部材Ｒであるクランプパレット２が固設される。そのクランプパレット２には、可動部材Ｍであるワークパレット３が、データム機能付きの第１クランプ装置４および第２クランプ装置５とデータム機能無しの第３クランプ装置６・６とによって固定されるようになっている。・・・。
【００１２】上記の第１クランプ装置４は、上記クランプパレット２に複数のボルト８によって固定した第１データムクランプ４ａと、上記ワークパレット３に複数のボルト９によって固定した第１データムリング４ｂとを備える。そして、主として図２に示すように、上記の第１データムクランプ４ａのプラグ部分２１に外嵌したシャトル部材２３のテーパ面２８に対して上記の第１データムリング４ｂのテーパ位置決め孔１２を基準軸心Ｇ(図１Ｂを参照)上で精密に嵌合できるようになっている。
【００１３】また、前記の第２クランプ装置５は、上記クランプパレット２に固定した第２データムクランプ５ａと上記ワークパレット３に固定した第２データムリング５ｂとを備える。上記の第２データムクランプ５ａは前記の第１データムクランプ４ａと同一に構成されている。上記の第２データムリング５ｂは、図１Ｂおよび図１Ｄに示すように、前記のテーパ位置決め孔１２に一対の逃がし面１４・１４を凹入形成した点で前記の第１データムリング４ｂとは異なる。そして、上記の第２データムクランプ５ａのプラグ部分２１に外嵌したシャトル部材２３のテーパ面２８に対して上記の第２データムリング５ｂのテーパ位置決め孔１２の残り部分１２ｂ・１２ｂを嵌合することにより、上記ワークパレット３を前記の基準軸心Ｇに対して周方向へ正確に位置決めすると共に、前記の逃がし面１４・１４の存在によって、上記の基準軸心Ｇに対する半径方向の誤差を吸収できるようになっている。」
　
　上記記載を、図１、図２を参照しつつ、技術常識を踏まえ整理すると、上記刊行物３には、次の事項（以下「刊行物３事項」という。）が記載されているものと認められる。 
「テーブル１の上面に固設されたクランプパレット２に、ワークパレット３を固定する装置であって、
　クランプパレット２にワークパレット３を精密に嵌合できる第１クランプ装置４と、
　クランプパレット２のプラグ部分２１に外嵌したシャトル部材２３のテーパ面２８が嵌合されるワークパレット３のテーパ位置決め孔１２に、向かい合う一対の突出部である残り部分１２ｂ、１２ｂと、逃がし面１４、１４を形成した第２クランプ装置とを有することにより、
　ワークパレット３を基準軸心Ｇに対して周方向に正確に位置決めし、半径方向の誤差を吸収できる固定装置」
　
４．対比・判断 
　刊行物１発明の「ストレート係合孔２」、「被固定物１」、「ワークパレット４」、「ハウジング１１」、「クランプ装置５」、「クランプシステム」は、それぞれ、本願発明の「ストレート位置決め孔(５・５)」、「第２ブロック(２)」、「第１ブロック(１)」、「ハウジング(９)」、「位置決め装置(１０１・１０２)」、「位置決めシステム」に相当する。
　また、刊行物１発明の「ワークパレット４に設けたハウジング１１から先端方向へ突出され、ハウジング１１に対し上下移動可能に挿入されたプルロッド１２と、そのプルロッド１２の外周に設けられるとともに上記の先端方向へ向かうにつれて軸心へ遠ざかる形状のテーパ外周面１２ａと、そのテーパ外周面１２ａの外側に配置されるとともに周方向の少なくとも一部分が拡径方向及び縮径方向へ変形可能な環状の係合具１４と、その係合具１４の外周に設けられるとともに上記ストレート係合孔２の内周面に密着可能な鋸刃状外周面と、同上係合具１４の内周に設けられるとともに上記のテーパ外周面１２ａに対面するテーパ内周面１４ａと、上記プルロッド１２の入力部１２ｂにその出力部２０ａを半径方向移動可能かつ軸心方向移動不能に連結したピストンロッド２０とを有し、ピストンロッド２０によって、プルロッド１２を先端方向逆方向へ移動させることにより、係合具１４を拡径させ、さらに先端方向逆方向へ移動させるようにしたクランプシステム」と、
本願発明の「第１ブロック(１)に設けたハウジング(９)から先端方向へ一体に突出されたプラグ部材(１２)と、そのプラグ部材(１２)の外周に設けられるとともに上記の先端方向へ向かうにつれて軸心へ近づく形状の傾斜外面(１３)と、その傾斜外面(１３)の外側に配置されるとともに周方向の少なくとも一部分が拡径方向及び縮径方向へ変形可能な環状のスリーブ部材(１５)と、そのスリーブ部材(１５)の外周に設けられるとともに上記ストレート位置決め孔(５)の内周面に密着可能なストレート外面(１６)と、同上スリーブ部材(１５)の内周に設けられるとともに上記の傾斜外面(１３)に対面する傾斜内面(１７)と、上記プラグ部材(１２)内に軸心方向へ移動可能に挿入されるとともに上記スリーブ部材(１５)に常に連結された状態に保持された駆動部材(２１)とを有する位置決めシステム」とは、
「第１ブロックに設けたハウジングから先端方向へ突出された突出部材と、その突出部材の外周に設けられる軸心方向の傾斜外面と、その傾斜外面の外側に配置されるとともに周方向の少なくとも一部分が拡径方向及び縮径方向へ変形可能な環状部材と、その環状部材の外周に設けられるとともにストレート位置決め孔の内周面に密着可能な外面と、同上環状部材の内周に設けられるとともに上記の傾斜外面に対面する傾斜内面と、上記突出部材と上記環状部材とを軸心方向相対移動可能とする駆動部材とを有する位置決めシステム」
である限りにおいて一致すると認める。
　
　そうすると、本願発明と刊行物１発明とは、以下の点で一致する。 
「複数のストレート位置決め孔を有する第２ブロックを第１ブロックに位置決めする複数の位置決め装置を備えたシステムであって、
　上記の複数の位置決め装置は、それぞれ、上記の第２ブロックに形成された上記ストレート位置決め孔に差込可能となるように上記の第１ブロックに設けたハウジングから先端方向へ突出された突出部材と、その突出部材の外周に設けられる軸心方向の傾斜外面と、その傾斜外面の外側に配置されるとともに周方向の少なくとも一部分が拡径方向及び縮径方向へ変形可能な環状部材と、その環状部材の外周に設けられるとともにストレート位置決め孔の内周面に密着可能な外面と、同上環状部材の内周に設けられるとともに上記の傾斜外面に対面する傾斜内面と、上記突出部材と上記環状部材とを軸心方向相対移動可能とする駆動部材とを有する位置決めシステム。」 
　
　そして、以下の点で相違する。
　相違点１：環状部材の拡径について、本願発明は、「第１ブロック(１)に設けたハウジング(９)から先端方向へ一体に突出されたプラグ部材(１２)と、そのプラグ部材(１２)の外周に設けられるとともに上記の先端方向へ向かうにつれて軸心へ近づく形状の傾斜外面(１３)と、その傾斜外面(１３)の外側に配置されるとともに周方向の少なくとも一部分が拡径方向及び縮径方向へ変形可能な環状のスリーブ部材(１５)と、そのスリーブ部材(１５)の外周に設けられるとともに上記ストレート位置決め孔(５)の内周面に密着可能なストレート外面(１６)と、同上スリーブ部材(１５)の内周に設けられるとともに上記の傾斜外面(１３)に対面する傾斜内面(１７)と、上記プラグ部材(１２)内に軸心方向へ移動可能に挿入されるとともに上記スリーブ部材(１５)に常に連結された状態に保持された駆動部材(２１)」によるが、刊行物１発明は、そのようなものではない点。
　
　相違点２：本願発明は、「複数の位置決め装置(１０１・１０２)のうちの少なくとも一つの位置決め装置(１０２)では、前記の第１ブロック(１)に設けた前記スリーブ部材(１５)の内周と前記プラグ部材(１２)の外周との間で、前記の傾斜内面(１７)と前記の傾斜外面(１３)との少なくとも一方を、前記の拡縮方向で互いに向かい合う一対の突出部(６１・６１)に設けると共に、これら突出部(６１・６１)の間に周方向へ延びる逃し部(６２・６２)を形成し、上記の第１ブロック(１)の上記スリーブ部材(１５)の内方に設けた上記の突出部(６１・６１)が同上スリーブ部材(１５)を介して前記ストレート位置決め孔(５)に作用させる拡径力によって、前記の第２ブロック(２)が他の位置決め装置(１０１)の軸心(Ａ)の回りに旋回するのを阻止するとともに、上記の一対の逃し部(６２・６２)によって上記の軸心(Ａ)に対する径方向の誤差を吸収する」が、刊行物１発明は、そのようなものではない点。 
 　 
　相違点１について検討する。 
　刊行物１発明において、第２ブロックの下方向位置決め作用に寄与するものは、スリーブ部材であるが、その下方向、すなわち先端方向逆方向移動は、プラグ部材の下方向移動に伴ってなされるものである。
　すなわち、スリーブ部材の先端方向逆方向移動が、同方向の移動をなすピストンロッドによる下方向の力を、そのまま利用するものではなく、プラグ部材とのテーパ面を介するものであるから、間接的に力が伝達されることとなる。 
　そこで、刊行物１発明においては、ピストンロッドが上下方向移動をなすのであるから、これをそのまま利用して、直接的にスリーブ部材を移動させることを試みることは、自然な着想である。
　ここで、刊行物２事項は、上記３．（２）のとおりである。 
　刊行物１発明、刊行物２事項は、ともに物品のクランプという同一技術分野に関するものであり、しかも、孔に挿入される部材をテーパ係合によって拡大、縮小させるという基本的構造、機能も共通するものである。
　したがって、刊行物１発明において、駆動部材であるピストンロッドにより、直接的にスリーブ部材を移動させようとした当業者が、刊行物２事項に接した場合、これを適用することに困難性は認められない。
　その際、スリーブ部材と駆動部材との連結は、刊行物２事項は「常に連結」か否か明らかでないが、力の伝達上は「常に連結」することが好ましいことは明らかであるから、「常に連結された状態」とする点は、力の伝達上の便、保守・点検の便等を勘案し、適宜選択しうる事項にすぎない。
　また、スリーブ部材の外周を「ストレート外面」とした点については、刊行物１の段落０００６にみられるごとく、「摩擦接当」でも支障がないことから、「ストレート外面」とすることは、適宜選択しうる設計的事項にすぎない。
　請求人は、意見書（４−４−４）で「刊行物１に刊行物２の技術を結びつける動機付けがない」と主張するが、上記のとおり、技術分野、基本的構造、機能の共通性を踏まえれば、動機付けがないとまでは言えない。 
 　 
　相違点２について検討する。 
　刊行物３事項は、上記３．（３）のとおりである。
　刊行物１発明も、複数の位置決め孔を有することから、誤差の吸収が課題であり、請求人が意見書（４−４−６）で主張するごとく、「プルロッドの半径方向への移動によって吸収」している。
　請求人は、意見書（４−４−６）において、刊行物１発明は、誤差吸収機能を既に有しているから、刊行物３事項を「組み合わせる動機付けがない」旨、主張する。
　しかし、製品の研究開発においては、既存の製品に問題がなければ、何もしないというものではなく、性能の向上が常に期待されていることから、同様な機能のものについて、置き換え、あるいは重畳的適用を試みることは珍しくない。
　刊行物３事項は、テーパ係合を利用した位置決め装置という、刊行物１発明と同一技術分野で、基本的構造を同じくするものであり、しかも、誤差吸収という機能も共通するものである。
　したがって、誤差吸収の性能向上を期待して、刊行物１発明に刊行物３事項を適用することに、困難性は認められない。 
　その際、突出部を軸部材であるプラグ部材、環状部材であるスリーブ部材のいずれの側設けるか、突出部を有する部材が可動側か固定側かについては、これによって、誤差吸収機能に格別の差違が生じるとは認められないことから、これらの点は、適宜選択しうる設計的事項にすぎない。
　なお、この点は、本願の段落００４９〜００５０、図３、図８において、突出部を有する部材の位置関係は任意であるとされていることからも、適宜選択しうる設計的事項と言えるものである。
　請求人はまた、意見書において、「刊行物１と刊行物３とでは、ワークパレット等に形成された孔に挿入される部材が駆動部材に常に連結されるのか又は連結されないのかという相違点があることで、ワークパレット等を固定するための作用が全く異なる」と主張する。
　しかし、半径方向である「固定した後の誤差吸収」は、刊行物１発明も刊行物３事項も、ともにありうるものであるから、「技術的思想を全く異にする」という請求人の主張は採用できない。
　
　また、両相違点は、「固定」に関するものと、「固定した後の誤差吸収」に関するものであり、異なる性質のものであるから、両者を総合勘案しても、格別の技術的意義が生じるとは認められない。
　
　なお、請求人は、意見書において、裁判例を多く引用しているが、本件に関するものではないから、これら裁判例が、本件の判断を拘束するものではない。
　
５．むすび 
　本願発明は、刊行物１発明、刊行物２事項、刊行物３事項に基づいて、当業者が容易に発明をすることができたものであるから、特許法第２９条第２項の規定により特許を受けることができない。
　したがって、他の請求項に係る発明について検討するまでもなく、本願は拒絶されるべきものであるから、結論のとおり審決する。